(57)【特許請求の範囲】
【請求項１】
上面の一方の側にテーブルを有する基台と、
前記テーブルの反対側において基台上に立設された支柱、該支柱の上端部に設けられ前記基台を横断する横梁、及び該横梁の自由端から垂下したブラケットからなるコラムと、
前記テーブルの間の上方に配設され、前記コラムの支柱とブラケットの間に設けた固定軸に上下動可能に支持されたドラムと、
前記ドラムの外周に沿って移動可能に配設されたロール装置とを備えたことを特徴とする屋根材の加工装置。
【請求項２】
上面の前後にテーブルを有する基台、前記テーブルの間の上方に配設され上下に移動可能に支持されたドラム、及び該ドラムの外周に沿って移動するロールを有し、
屋根材に設けたハゼに形状保持部材を嵌入する工程と、
前記ドラムを上昇させる工程と、
前記ドラムと該ドラムの直下に位置するロールとの間に前記屋根材を挿入する工程と、
前記ドラムを下降させて前記屋根材を前記ロールとの間に挾持する工程と、
前記ロールをドラムの外周に沿って移動させ、前記屋根材を曲げ加工する工程と、
前記ドラムを上昇させる工程及び前記ロールを元の位置に戻す工程と、
加工済みの屋根材を手前側水平方向に取出す工程及び該屋根材のハゼに嵌入した形状保持部材を抜き出す工程とからなることを特徴とする屋根材の加工方法。
【発明の詳細な説明】
【０００１】
【発明の属する技術分野】
本発明は、屋根材の加工装置及び加工方法に係り、さらに詳しくは、ハゼを有するカラー鋼板の曲げ加工に実施して特に有効な屋根材の加工装置及び加工方法に関するものである。
【０００２】
【従来の技術】
例えばパラペット部を形成するための屋根材は、その立上り部を曲げ加工して垂直に立上げる必要があり、この折曲げ部の防水性がきわめて重要である。
従来、屋根材によりパラペット部を構成する場合は、平板状のステンレス鋼板を曲げ加工して立上り部を成形し、隣接するステンレス鋼板どうしを溶接により接合して防水性を確保していた。また、カラー鋼板を手作業により曲げ加工して立上り部を形成し、隣接するカラー鋼板どうしをハゼ組みにより接合して防水性を確保するようにしたものもあった。
【０００３】
【発明が解決しようとする課題】
ステンレス鋼板によりパラペット部を構成する場合は、高価であるばかりでなく、溶接が面倒で作業性が悪く、コストの上昇は避けられなかった。
また、カラー鋼板によってパラペット部を構成する場合は、手作業による曲げ加工がきわめて面倒で作業性が悪く、その上ハゼ組み精度が劣るため、信頼性が低かった。
【０００４】
本発明は、上記の課題を解決するためになされたもので、長手方向の両縁部にハゼを有する屋根材を円弧状に曲げ加工することにより、立上り部においてもハゼ締めにより施工することのできる低コストで防水性に優れた信頼性が高くきわめて作業性のよい屋根材の加工装置及び加工方法を提供することを目的としたものである。
【０００５】
【課題を解決するための手段】
本発明に係る屋根材の加工装置は、上面の一方の側にテーブルを有する基台と、前記テーブルの反対側において基台上に立設された支柱、該支柱の上端部に設けられ前記基台を横断する横梁、及び該横梁の自由端から垂下したブラケットからなるコラムと、前記テーブルの間の上方に配設され、前記コラムの支柱とブラケットの間に設けた固定軸に上下動可能に支持されたドラムと、前記ドラムの外周に沿って移動可能に配設されたロール装置とを備えたものである。
【０００８】
また、本発明に係る屋根材の加工方法は、上面の前後にテーブルを有する基台、前記テーブルの間の上方に配設され上下に移動可能に支持されたドラム、及び該ドラムの外周に沿って移動するロールを有し、屋根材に設けたハゼに形状保持部材を嵌入する工程と、前記ドラムを上昇させる工程と、前記ドラムと該ドラムの直下に位置するロールとの間に前記屋根材を挿入する工程と、前記ドラムを下降させて前記屋根材を前記ロールとの間に挾持する工程と、前記ロールをドラムの外周に沿って移動させ、前記屋根材を曲げ加工する工程と、前記ドラムを上昇させる工程及び前記ロールを元の位置に戻す工程と、加工済みの屋根材を取出す工程及び該屋根材のハゼに嵌入した形状保持部材を抜き出す工程とからなるものである。
【０００９】
【発明の実施の形態】
図１は本発明に係る屋根材の加工装置の一実施の形態を模式的に示した正面図、図２は図１の側面図、図３は一部を省略して模式的に示した図１の斜視図である。なお、図３は説明を容易にするため左右を逆にして示してある。
図において、１はキャスタ２を有する基台、３ａ，３ｂは基台１の一方の側の前後に設けたテーブルで、両テーブル３ａ，３ｂの間には所定の間隔を隔てて上面に円弧部５が形成されたガイド部材４が設けられている。なお、上記の円弧部５は、後述のドラム１５と同心円的に形成されている。
【００１０】
６はコラムで、基台１の一方の側（テーブル３ａ，３ｂの反対側）に設けたほぼハ字状の支柱７と、その上端部から基台１上を横断する横梁８と、横梁８の自由端において垂下したブラケット９とからなり、支柱７とブラケット９との間には固定軸１０が設けられている。なお、１１はコラム６上に設けられた操作盤である。
【００１１】
１５はドラムで、両側壁１６ａ，１６ｂの外周の外面側には段部を介して小径部１７が形成されており、また、一方の側壁１６ａの外面は段部１８を介して凹状に形成されている。そして、両側壁１６ａ，１６ｂのほぼ中心部の上下方向に設けた長穴１９が固定軸１０に嵌合され、上下に移動可能に支持されている。なお、ドラム１５は上部を切除した場合を示してあるが、一部（後述の上下動装置を設置する位置）のみを切除してもよい。
【００１２】
２０はブラケット９に設けられ、ドラム１５を上下動するためのハンドルで、ドラム１５の上下動装置の一例を図４に示す。
図４において、ハンドル２０の回転は、歯車列２１を介してウオーム２２に伝達され、ウオーム２２の回転はウオームギヤ２３から歯車列２４を介してねじ棒２５ａ，２５ｂに伝達される。２６ａ，２６ｂはドラム１５の側壁１６ａの内壁面に固定されためねじ部材で、これに設けたねじ穴２７ａ，２７ｂにねじ棒２５ａ，２５ｂが螺入されている。なお、ウオーム２２、ウオームギヤ２３、歯車列２４、ねじ棒２５ａ，２５ｂ及びめねじ部材２６ａ，２６ｂは、ドラム１５内の両側にそれぞれ設けてもよい。
【００１３】
上記のようなドラム１５の上下動装置において、ハンドル２０を回わすと、その回転は歯車列２１、ウオーム２２、ウオームギヤ２３、歯車列２４を経てねじ棒２５ａ，２５ｂに伝達される。ねじ棒２５ａ，２５ｂの回転方向によって、これが螺入されためねじ部材２６ａ，２６ｂが上下方向に移動するため、めねじ部材２６ａ，２６ｂが固定されたドラム１５は、固定軸１０をガイドとして上昇又は下降する。
上記の説明では、ドラム１５の上下動装置として歯車及びねじ棒を用いた場合を示したが、本発明はこれに限定するものではなく、例えば、油圧モータを用い、あるいは電気的手段を用いるなど、適宜の手段を採用することができる。
【００１４】
３０は屋根材を曲げ加工するためのロール手段で、ロール装置３１と駆動装置４０とによって構成されている。
ロール装置３１において、３２ａ，３２ｂは複数の支持棒３３により、ドラム１５の幅より若干広い間隔に保持された側板である（なお、一方の側板３２ｂは他方の側板３２ａより長く形成されている）。３４はドラム１５に近接して両側板３２ａ，３２ｂ間に回転自在に設けられたガイドロール、３５は同じく両側板３２ａ，３２ｂ間に回転自在に設けられ、屋根材を曲げ加工する主ロールである。なお、実施例では主ロール３５に外形８０mmのＭＣナイロン製のものを使用した。３６は一方の側板３２ａの外壁面に、軸３７により回転可能に設けられたクランプ装置で、その先端部にはドラム１５の側壁１６ａに設けた段部１７の壁面に摺接する一対のローラ３８が設けられている。
【００１５】
駆動装置４０において、４１はロール装置３１の側板３２ｂと対向して設けられた側板で、両側板３２ｂ，４１は複数の支持棒４２により所定の間隔で一体に保持され、固定軸１０に回動可能に支持されている。４３は固定軸１０の延長線上において側板４１に設けた軸で、この軸４３は基台１に設置されたモータ４４とベルト４５により連結されている。
【００１６】
上記のように構成したロール手段３０において、モータ４４の回転はベルト４５を介して軸４３に伝達され、駆動装置４０を固定軸１０を中心に回動させる。駆動装置４０が回動すると、これと一体に構成されたロール装置３１も、ガイド部材４とドラム１５間に形成された空間部を、ドラム１５に沿って移動する。
上記の説明では、モータ４４の回転をベルト４５を介して駆動装置４０に伝達し、駆動装置４０及びこれと一体に構成されたロール装置３１を移動させる場合について説明したが、ベルト４５に代えて歯車その他の手段により駆動装置４０を回動させるようにしてもよい。
【００１７】
次に、上記のように構成した屋根材の加工装置により、屋根材を曲げ加工する手順について説明する。なお、以下の説明では、曲げ加工する屋根材として、図５に示すように、長手方向の両縁部にハゼ５２ａ，５２ｂを有するカラー鋼板５１を使用した場合を示す。
（１）ハンドル２０を回してドラム１５を上昇させ、図７に示すように、ドラム１５とガイド部４との間に形成されたすき間を拡大する。ついで、ロール手段３０を駆動し、図２に示すように、ロール装置３１をドラム１５の直下に位置させる。このとき、ロール装置３１の主ロール３５の上面は、テーブル３ａ，３ｂとほぼ同一平面上に位置し、また、クランプ装置３６は外方に回動されてドラム１５の側壁１６ａから離れている。
【００１８】
（２）一方、カラー鋼板５１のハゼ５２ａ，５２ｂには、図６に示すように、例えば硬質合成樹脂からなる棒状の形状保持部材５３を嵌入する。なお、形状保持部材５３は一方のハゼ（５２ａ又は５２ｂ）のみに嵌入してもよく、あるいは主ロール３５に凸部を設けてこの凸部にハゼ５２ａ，５２ｂを嵌入するようにしてもよい。
（３）次に、形状保持部材５３が嵌入されたハゼ５２ａ，５２ｂを上にして、図７に示すように、カラー鋼板５１を側方からテーブル３ａ，３ｂ上に挿入する。このとき、カラー鋼板５１のハゼ５２ａ，５２ｂは、ドラム１５の側壁１６ａ，１６ｂの外周に設けた小径部１７と対向する。なお、テーブル３ａ上にマークあるいはストッパを設けておけば、カラー鋼板５１の位置ぎめが容易である。
【００１９】
（４）この状態でハンドル２０を回してドラム１５を下降させ、カラー鋼板５１に圧着させて主ロール３５との間に挾持させる。そして、カラー鋼板５１をヤットコ等でテーブル３ｂに固定する。
（５）ついで、クランプ装置３６を回動してそのローラ３８をドラム１５の側壁１６ａに設けた段部１８の壁面に当接させる。これにより、ドラム１５とロール装置３１との位置関係を規制することができる。なお、クランプ装置３６を段部１８の壁面に当接させたときは、ロック手段によりロックすることが望ましい。
【００２０】
（６）次に、操作部４６の押ボタンを操作してモータ４４を駆動し、図３に示すように、ロール装置３１をガイドロール３４でガイドさせながらドラム１５の外周に沿って上方に移動させ、主ロール３５は回転しながらカラー鋼板５１をドラム１５に押付けて塑性変形させる。このとき、クランプ装置３６のローラ３８はドラム１５の側壁１６ａに設けた段部１８の壁面に沿って転動し、ロール装置３１を所定の軌跡にしたがって移動させる。
これにより、カラー鋼板５１はドラム１５の外周に沿って曲げ加工されるが、ハゼ５２ａ，５２ｂには形状保持部材５３が嵌入され、かつ、ドラム１５の側壁１６ａ，１６ｂの外周に設けた小径部１７内に挿入されるため、変形したり破損したりすることがなく、小径部１７に沿って曲げ加工される。
【００２１】
（７）加工が終ったときは、操作部４６の押ボタンを操作してモータ４４を反対方向に回転させ、ロール装置３１を元の位置（ドラム１５の直下）に戻し、また、クランプ装置３６を回動してドラム１５の側壁１６ａから離す。
（８）ついで、ハンドル２０を回してドラム１５を上昇させ、また、テーブル３ｂとの固定を解除して、曲げ加工されたカラー鋼板５１を手前側に水平方向に引き出す。
【００２２】
（９）そして、ハゼ５２ａ，５２ｂから形状保持部材５３を抜き出せば、図８に示すように、一端が円弧状に成形されたカラー鋼板５１を得ることができる。なお、ハゼ５２ａ，５２ｂから抜き出した形状保持部材５３は何回でも使用することができる。
【００２３】
以上の説明から明らかなように、本発明に係る屋根材の加工装置によれば、ハゼ５２ａ，５２ｂを有するカラー鋼板５１を、簡単な操作により曲げ加工することができるので、カラー鋼板５１を従来困難とされていたパラペット部を構成するための屋根材として使用することができ、コストを大幅に低減することができる。また、立上り部においてもハゼ締めにより施工することができるため、作業が簡単で防水性に優れた信頼性の高い屋根材を得ることができる。
【００２４】
さらに、加工装置は小型に構成することができ、しかもキャスタを備えているので、工事現場に設置して屋根材を加工することができるので、施工性を大幅に向上することができる。なお、上記の説明では、本発明に係る加工装置によりハゼを有するカラー鋼板を曲げ加工する場合を示したが、その他の材料からなる屋根材も同様にして加工することができる。
【００２５】
【発明の効果】
本発明に係る屋根材の加工装置は、上面の一方の側にテーブルを有する基台と、テーブルの反対側において基台上に立設された支柱、支柱の上端部に設けられ基台を横断する横梁、及び横梁の自由端から垂下したブラケットからなるコラムと、テーブルの間の上方に配設され、コラムの支柱とブラケットの間に設けた固定軸に上下動可能に支持されたドラムと、ドラムの外周に沿って移動可能に配設されたロール装置とを備えたので、簡単な操作で屋根材を曲げ加工することができ、曲げ加工した屋根材を手前に水平方向に容易に抜き出すことができる。特に従来困難とされていたカラー鋼板からなるハゼ式屋根材も円弧状に曲げ加工できるため、パラペット部を構成するための屋根材として使用することができるので、コストを大幅に低減することができる。また、立上り部においてもハゼ締めにより施工できるので、作業が簡単で防水性に優れた信頼性の高い屋根材を得ることができる。
【００２８】
また、本発明に係る屋根材の加工方法は、上面の前後にテーブルを有する基台、テーブルの間の上方に配設され上下に移動可能に支持されたドラム、及びドラムの外周に沿って移動するロールを有し、屋根材に設けたハゼに形状保持部材を嵌入する工程と、ドラムを上昇させる工程と、ドラムとこのドラムの直下に位置するロールとの間に屋根材を挿入する工程と、ドラムを下降させて屋根材をロールとの間に挾持する工程と、ロールをドラムの外周に沿って移動させ、屋根材を曲げ加工する工程と、ドラムを上昇させる工程及びロールを元の位置に戻す工程と、加工済みの屋根材を取出す工程及びこの屋根材のハゼに嵌入した形状保持部材を抜き出す工程とによって構成したので、簡単な操作で屋根材を曲げ加工することができる。
【図面の簡単な説明】
【図１】本発明の一実施の形態を模式的に示した正面図である。
【図２】図１の側面図である。
【図３】一部を省略して模式的に示した図１の斜視図である。
【図４】図１の要部の説明図である。
【図５】加工する屋根材の正面図である。
【図６】屋根材の加工工程の一部の説明図である。
【図７】屋根材の加工工程の一部の説明図である。
【図８】加工後の屋根材の斜視図である。
【符号の説明】
１  基台
３ａ，３ｂ  テーブル
６  コラム
７  支柱
８  横梁
９  ブラケット
１０  固定軸
１５  ドラム
１６ａ，１６ｂ  側壁
１７  小径部
１８  段部
２０  ハンドル
３０  ロール手段
３１  ロール装置
３５  主ロール
４０  駆動装置
５１  カラー鋼板
５２ａ，５２ｂ  ハゼ
５３  形状保持部材
【図１】
0003700120.tif 000002
【図２】
0003700120.tif 000003
【図３】
0003700120.tif 000004
【図４】
0003700120.tif 000005
【図５】
0003700120.tif 000006
【図６】
0003700120.tif 000007
【図７】
0003700120.tif 000008
【図８】
0003700120.tif 000009